(57)【要約】【課題】応力発光体による応力発光量から精度良く歪みを算出し、もって繰り返し歪みが発生する場合における歪み推定精度を高めることを課題とする。【解決手段】計測画像取得制御部１４が撮像部３０により撮像された応力発光塗料２の計測画像を取得し、応力発光取得部１５が計測画像データＤ１から応力発光ＬＭを取得し、歪み感度算出部１６がそれ以前に発生した歪み及びその影響を受けて変化した歪み感度を基に歪み感度を算出し、歪み算出部１７がそれ以前に発生した歪み及びその影響を受けて変化した歪み感度に基づいて歪みを算出する。【選択図】図１
2020176943.tif 000002
【特許請求の範囲】
【請求項１】
応力発光体に励起光を照射して前記応力発光体を励起状態にし、前記応力発光体に加えられる応力に応じた応力発光を計測する応力発光計測装置であって、
前記応力発光体を撮像する撮像部により撮像された応力発光体の計測画像から応力発光量を取得したならば、応力発光の励起エネルギーが応力発光したときに生じていた歪み量毎に消費されるモデルを利用しつつ、過去の計測画像の応力発光量から算出された歪み及びその影響を受けて変化した歪み感度に基づいて歪み感度及び歪みを算出する
ことを特徴とする応力発光計測装置。
【請求項２】
応力発光体に励起光を照射して前記応力発光体を励起状態にし、前記応力発光体に加えられる応力に応じた応力発光を計測する応力発光計測装置であって、
前記応力発光体を撮像する撮像部と、
前記撮像部により撮像された応力発光体の計測画像を取得する計測画像取得部と、
前記計測画像から応力発光量を取得する応力発光取得部と、
前記応力発光取得部により取得された新たな計測画像の応力発光量に基づく歪み感度を算定する場合に、過去の計測画像の応力発光量から算出された歪み及びその影響を受けて変化した歪み感度に基づいて歪み感度を算出する歪み感度算出部と、
前記過去の計測画像の応力発光量から算出された歪み及びその影響を受けて変化した歪み感度に基づいて歪みを算出する歪み算出部と、
を備えたことを特徴とする応力発光計測装置。
【請求項３】
前記歪み感度算出部により算出された歪み感度及び前記歪み算出部により算出された歪みを記憶する記憶部をさらに備え、
前記歪み感度算出部及び前記歪み算出部は、前記応力発光取得部により新たな応力発光量が取得された場合に、前記記憶部に記憶された過去の計測画像の応力発光量から算出された歪み及びその影響を受けて変化した歪み感度に基づいて、歪み感度及び歪み量をそれぞれ算出する
ことを特徴とする請求項２に記載の応力発光計測装置。
【請求項４】
前記応力発光取得部により取得された応力発光量を記憶する記憶部をさらに備え、
前記歪み感度算出部及び前記歪み算出部は、前記記憶部に記憶された応力発光量に基づいて歪み感度及び歪み量をそれぞれ算出する
ことを特徴とする請求項２に記載の応力発光計測装置。
【請求項５】
応力発光体に励起光を照射して前記応力発光体を励起状態にし、前記応力発光体に加えられる応力に応じた応力発光を計測する応力発光計測装置の応力発光計測方法であって、
前記応力発光体を撮像する撮像部により撮像された応力発光体の計測画像を取得する計測画像取得ステップと、
前記計測画像から応力発光量を取得する応力発光取得ステップと、
前記応力発光取得ステップにより取得された新たな計測画像の応力発光量に基づく歪み感度を算定する場合に、過去の計測画像の応力発光量から算出された歪み及びその影響を受けて変化した歪み感度に基づいて歪み感度を算出する歪み感度算出ステップと、
前記過去の計測画像の応力発光量から算出された歪み及びその影響を受けて変化した歪み感度に基づいて歪みを算出する歪み算出ステップと、
を含むことを特徴とする応力発光計測方法。
【発明の詳細な説明】
【技術分野】
【０００１】
本発明は、応力発光体による応力発光量から精度良く歪みを算出し、もって繰り返し歪みが発生する場合における歪み推定精度を高めることができる応力発光計測装置及び応力発光計測方法に関する。
【背景技術】
【０００２】
従来、計測対象の残留応力や応力集中などによる破壊を検知又は予測するために、応力分布が計測されることが多い。一般的に、応力分布の計測手法として、（１）計測対象にひずみゲージを貼り付けてひずみ量を電気的に検出する手法Ａ、（２）赤外線カメラを用いて計測対象の振動に対する発熱作用又は吸熱作用を計測して応力分布を求める手法Ｂ、（３）計測対象の表面にランダム模様を付与して複数カメラで撮像し、応力変動を求めるデジタル画像相関法Ｃなどが知られている。
【０００３】
ところが、上記の手法Ａは、ひずみゲージは貼り付けのための手間がかかるとともに計測部位が限られるという問題がある。また、上記の手法Ｂは、赤外線カメラは測定範囲が限られ、繰り返し加振が必要になるという問題がある。さらに、上記のデジタル画像相関法Ｃは、事前に表面模様の準備が必要になるという問題がある。
【０００４】
このため、非接触かつ広範囲に一括で応力計測するために、応力発光体を表面に付与した計測対象からの応力発光を撮像することにより、計測対象の応力分布を非接触で計測する技術が注目されている。例えば、特許文献１には、応力発光体の励起状態が飽和するまでの励起光照射時間を記憶しておき、この励起光照射時間分、励起光を照射することによって応力発光体の励起状態を飽和状態にし、一定条件で発光する装置が開示されている。
【０００５】
ここで、応力発光体を応力発光させるためには、応力発光体に励起光を照射して該応力発光体を励起状態にする必要がある。そして、この応力発光体の励起エネルギーは、歪みに伴う発光によって消費され減少するとともに、該応力発光体の発光感度が低下する。従来技術では、応力発光体の励起エネルギーが均一に消費されることを前提としたモデルを用いて、応力発光体に生ずる歪みを逆算して分析が行われていた。
【先行技術文献】
【特許文献】
【０００６】
【特許文献１】特開２０１６−１８０６３７号公報
【発明の概要】
【発明が解決しようとする課題】
【０００７】
しかしながら、上記従来技術のように、均一に励起エネルギーが消費されるモデルで分析を行う場合には、応力発光体に励起光を照射した後、それまでに発生した低歪み以上の高歪みが発生したならば、歪み感度が回復する現象が表れるため、発生した歪みを過大評価してしまうという問題が生ずる。
【０００８】
本発明は、上記の課題を解決するためになされたものであり、応力発光体による応力発光量から精度良く歪みを算出し、もって繰り返し歪みが発生する場合における歪み推定精度を高めることができる応力発光計測装置及び応力発光計測方法を提供することを目的とする。
【課題を解決するための手段】
【０００９】
上述した課題を解決し、目的を達成するため、本発明は、応力発光体に励起光を照射して前記応力発光体を励起状態にし、前記応力発光体に加えられる応力に応じた応力発光を計測する応力発光計測装置であって、前記応力発光体を撮像する撮像部により撮像された応力発光体の計測画像から応力発光量を取得したならば、応力発光の励起エネルギーが応力発光したときに生じていた歪み量毎に消費されるモデルを利用しつつ、過去の計測画像の応力発光量から算出された歪み及びその影響を受けて変化した歪み感度に基づいて歪み感度及び歪みを算出することを特徴とする。
【００１０】
また、本発明は、応力発光体に励起光を照射して前記応力発光体を励起状態にし、前記応力発光体に加えられる応力に応じた応力発光を計測する応力発光計測装置であって、前記応力発光体を撮像する撮像部と、前記撮像部により撮像された応力発光体の計測画像を取得する計測画像取得部と、前記計測画像から応力発光量を取得する応力発光取得部と、前記応力発光取得部により取得された新たな計測画像の応力発光量に基づく歪み感度を算定する場合に、過去の計測画像の応力発光量から算出された歪み及びその影響を受けて変化した歪み感度に基づいて歪み感度を算出する歪み感度算出部と、前記過去の計測画像の応力発光量から算出された歪み及びその影響を受けて変化した歪み感度に基づいて歪みを算出する歪み算出部と、を備えたことを特徴とする。
【００１１】
また、本発明は、上記の発明において、前記歪み感度算出部により算出された歪み感度及び前記歪み算出部により算出された歪みを記憶する記憶部をさらに備え、前記歪み感度算出部及び前記歪み算出部は、前記応力発光取得部により新たな応力発光量が取得された場合に、前記記憶部に記憶された過去の計測画像の応力発光量から算出された歪み及びその影響を受けて変化した歪み感度に基づいて、歪み感度及び歪み量をそれぞれ算出することを特徴とする。
【００１２】
また、本発明は、上記の発明において、前記応力発光取得部により取得された応力発光量を記憶する記憶部をさらに備え、前記歪み感度算出部及び前記歪み算出部は、前記記憶部に記憶された応力発光量に基づいて歪み感度及び歪み量をそれぞれ算出することを特徴とする。
【００１３】
また、本発明は、応力発光体に励起光を照射して前記応力発光体を励起状態にし、前記応力発光体に加えられる応力に応じた応力発光を計測する応力発光計測装置の応力発光計測方法であって、前記応力発光体を撮像する撮像部により撮像された応力発光体の計測画像を取得する計測画像取得ステップと、前記計測画像から応力発光量を取得する応力発光取得ステップと、前記応力発光取得ステップにより取得された新たな計測画像の応力発光量に基づく歪み感度を算定する場合に、過去の計測画像の応力発光量から算出された歪み及びその影響を受けて変化した歪み感度に基づいて歪み感度を算出する歪み感度算出ステップと、前記過去の計測画像の応力発光量から算出された歪み及びその影響を受けて変化した歪み感度に基づいて歪みを算出する歪み算出ステップと、を含むことを特徴とする。
【発明の効果】
【００１４】
本発明によれば、応力発光体に励起光を照射した以降で、それまでに発生した歪み以上の歪みが発生した場合に、発光感度が回復する現象に伴う歪み推定精度の低下を防ぎつつ応力発光量から精度良く歪みを算出し、もって繰り返し歪みが発生する場合における歪み推定精度を高めることが可能となる。
【図面の簡単な説明】
【００１５】
【図１】図１は、本実施の形態に係る応力発光計測装置の構成を示す図である。
【図２】図２は、歪みと該歪みよって消費される応力発光ポテンシャルとの関係を示す図である。
【図３】図３は、応力発光ポテンシャルの消費の一例を示す図である。
【図４】図４は、各フレームにおける歪みと応力発光ポテンシャル消費量との関係を示す図である。
【図５】図５は、制御部による歪み感度及び歪みの算出処理手順を示すフローチャートである。
【発明を実施するための形態】
【００１６】
以下に、添付図面を参照して、本発明に係る応力発光計測装置及び応力発光計測方法の好適な実施の形態を詳細に説明する。
【００１７】
＜装置構成＞
図１は、本実施の形態に係る応力発光計測装置１の構成を示す図である。この応力発光計測装置１は、従来技術のように「均一に励起エネルギーが消費されるモデル」で分析を行うのではなく、「応力発光の励起エネルギーが応力発光したときに生じていた歪み量毎に消費されるモデル」を用いて分析を行う装置である。
【００１８】
具体的には、どの歪み量に対応する励起エネルギーが消費されたかを記憶しておき、その結果を応力発光の分析を行う際に利用する。応力発光体に励起光を照射した後、それまでに発生した低歪み以上の高歪みが発生したならば、歪み感度が回復する現象が表れ、発生した歪みを過大評価してしまう事態を避けるためである。
【００１９】
かかる履歴データを記憶する場合に、特定の歪みと歪み速度の積がどれだけの時間継続していたかによってその歪みに対応する励起エネルギーが消費されるものとし、残りの励起エネルギー量の関数である歪み感度を用いて、逐次的に応力発光を歪みに変換する分析を行うことになる。
【００２０】
図１に示すように、計測対象部材１０１の表面には、応力発光体が含まれる応力発光塗料２が塗布されている。例えば、外部からの力Ｐが加わることにより発生した応力Ｓにより、計測対象部材１０１に金属疲労が生じる。なお、本実施の形態では、内部における力により発生した応力については対象外としている。また、本実施の形態では、計測対象部材１０１に発生する応力Ｓは、不定な時間間隔で連続発生するものとする。
【００２１】
応力発光計測装置１は、応力発光体を含む応力発光塗料２に励起光Ｌ０を照射して応力発光体を励起状態にし、応力発光体に発生する応力Ｓに応じた応力発光Ｌ２を計測する。なお、応力発光体が励起状態にあると、応力発光Ｌ２とは無関係に蛍光及び燐光として自然放出する自然放出光Ｌ１を発光する。
【００２２】
応力発光体は、外部からの機械刺激により発光する発光材料である。機械刺激の種類としては摩擦、衝撃、圧縮、引っ張り、ねじりなどがあり、かかる機械刺激により応力発光体に応力が発生する。応力発光体は、例えば、粒子径の制御が可能な粉末状のセラミックス微粒子であり、ユーロピウムをドープし構造制御したアルミン酸ストロンチウム（ＳｒＡｌ２Ｏ４：Ｅｕ）、遷移金属や希土類をドープした硫化亜鉛（ＺｎＳ：Ｍｎ）、チタン酸バリウム・カルシウム（（Ｂａ，Ｃａ）ＴｉＯ３：Ｐｒ）、アルミン酸カルシウム・イットリウム（ＣａＹＡｌ３Ｏ７：Ｃｅ）などである。なお、上記の応力発光体は、紫外線を励起光として可視光を発光するものであるが、紫外線や近赤外線を発光するものであってもよい。
【００２３】
次に、図１に示した応力発光計測装置１の構成について説明する。図１に示すように、応力発光計測装置１は、励起光Ｌ０である紫外線を応力発光塗料２に照射する励起光照射部２０と、応力発光塗料２の発光を撮像する撮像部３０と、装置本体１０とを有する。
【００２４】
装置本体１０は、入出力部１１、記憶部１２及び制御部１３を有し、励起光照射部２０及び撮像部３０に接続される。入出力部１１は、各種操作入力及び表示出力等を行うタッチパネル式ディスプレイなどの入出力インターフェースである。
【００２５】
記憶部１２は、フラッシュメモリ等の不揮発性メモリ又はハードディスク装置等の二次記憶媒体等からなる記憶デバイスであり、計測画像を含む計測画像データＤ１、基準応力に対応する基準応力発光ＬＭＳを含む基準応力発光データＤ２、実測応力発光データＤ３、歪み感度データＤ４及び歪みデータＤ５を記憶する。
【００２６】
制御部１３は、応力発光計測装置１を全体制御する制御部であり、計測画像取得制御部１４、応力発光取得部１５、歪み感度算出部１６及び歪み算出部１７を有する。実際には、これらの機能部に対応するプログラムを図示しないＲＯＭや不揮発性メモリに記憶しておき、これらのプログラムをＣＰＵ（Central Processing Unit）にロードして実行することにより、計測画像取得制御部１４、応力発光取得部１５、歪み感度算出部１６及び歪み算出部１７にそれぞれ対応するプロセスを実行させることになる。
【００２７】
計測画像取得制御部１４は、撮像部３０により撮像された応力発光塗料２の計測画像を取得し、記憶部１２に計測画像データＤ１として記憶する。
【００２８】
応力発光取得部１５は、応力発光体に加えられる基準応力ＳＳ(ｉ)（ｉ＝１，２，３・・・）に応じた基準応力発光ＬＭＳ(ｉ)を予め取得する。この基準応力発光ＬＭＳ(ｉ)は、基準応力発光データＤ２に含まれる。また、実測時においては、計測画像データＤ１から算出した応力発光ＬＭを、実測応力発光データＤ３として記憶する。
【００２９】
歪み感度算出部１６は、それ以前に発生した歪み及びその影響を受けて変化した歪み感度を基に歪み感度を算出する処理部であり、算出された歪み感度は、歪み感度データＤ４として記憶部１２に記憶される。なお、かかる歪み感度算出部１６による歪み感度の算出処理の詳細な説明については後述する。
【００３０】
歪み算出部１７は、それ以前に発生した歪み及びその影響を受けて変化した歪み感度に基づいて歪みを算出する処理部であり、算出された歪みは歪みデータＤ５として記憶部１２に記憶される。なお、かかる歪み算出部１７による歪みの算出処理の詳細な説明については後述する。
【００３１】
このように、かかる応力発光計測装置１は、応力発光体を撮像する撮像部３０により撮像された応力発光体の計測画像から応力発光量を取得したならば、応力発光の励起エネルギーが応力発光したときに生じていた歪み量毎に消費されるモデルを利用しつつ、過去の計測画像の応力発光量から算出された歪み及びその影響を受けて変化した歪み感度に基づいて歪み感度及び歪みを算出するよう構成している。具体的には、計測画像取得制御部１４が撮像部３０により撮像された応力発光塗料２の計測画像を取得し、応力発光取得部１５が計測画像データＤ１から応力発光ＬＭを取得し、歪み感度算出部１６がそれ以前に発生した歪み及びその影響を受けて変化した歪み感度に基づいて歪み感度を算出し、歪み算出部１７がそれ以前に発生した歪み及びその影響を受けて変化した歪み感度に基づいて歪みを算出するよう構成している。
【００３２】
＜歪み感度及び歪みの算出処理＞
次に、図１に示した歪み感度算出部１６よる歪み感度の算出処理及び歪み算出部１７による歪みの算出処理について説明する。
【００３３】
応力発光Ｌ（ｔ）は、応力発光体に加わる応力に変化が生じた場合に生ずるものであり、一定の応力が応力発光体に定常的に加わっていたとしても応力が変化しない場合には発光しない。このため、歪みを「ε」とし、歪み速度を「∂ε（ｔ）／∂ｔ」とし、歪み感度を「Ｋ（ε，ｔ）」とした場合に、応力発光Ｌ（ｔ）は、歪みと歪み速度と歪み感度との積で表現される。具体的には、下記式（１）により、時刻ｔにおける応力発光Ｌ（ｔ）が表される。
【数１】
2020176943.tif 000003
【００３４】
この式（１）を用いて歪みεを算出する場合に、従来技術では、歪み速度「∂ε（ｔ）／∂ｔ」及び歪み感度「Ｋ（ε，ｔ）」を所定の係数として扱い、応力発光ポテンシャル（励起エネルギー）が均一に消費されるモデルで分析されている。
【００３５】
しかし、これまでに発生した歪み以上の高歪みが発生した場合には、歪み感度が回復する現象が表れるため、歪みが繰り返し発生する状況においては、均一に励起エネルギーが消費される従来モデルで分析すると、発生した歪みを過大評価してしまう可能性がある。このため、本実施の形態では、歪みごとの応力発光ポテンシャルを意味する「反応粒子化量」が存在をすることを前提としてモデル分析を行っている。
【００３６】
図２（ａ）は、応力発光体を含む応力発光塗料２に励起光Ｌ０を照射して応力発光体を励起状態にした状態（歪み未経験時）を示している。図中に示す応力検出限界は、計測対象部材１０１に物理的な破損が生ずる限界を意味する。また、一般的には飽和時に反応粒子化量（応力発光ポテンシャル）が不均一分布となるが、ここでは説明の便宜上、反応粒子化量（応力発光ポテンシャル）が均一分布となる場合を示している。また、ここでは横軸を応力としているが、応力と歪みは線形の関係にあるため、横軸を歪みとすることもできる。
【００３７】
かかる図２（ａ）の状態において低歪みが発生したならば、図２（ｂ）に示すように、低歪みによって反応する粒子が消費され、低歪みに対する歪み感度のみが選択的に消費される。なお、高歪みに対応する応力については、反応粒子化量（応力発光ポテンシャル）は消費されない。そして、低歪みが連続して発生し、該低歪みに対応する反応粒子化量（応力発光ポテンシャル）が全て消費されたならば、その後に低歪みが生じたとしても発光しないことになる。
【００３８】
その後、高歪みが発生したならば、図２（ｃ）に示すように、該高歪みによって反応する粒子が消費され、高歪みに対する歪み感度のみが選択的に消費される。この際、反応粒子化量（応力発光ポテンシャル）の高い領域が消費されるため、歪み感度が回復する現象が表れる。このため、応力発光ポテンシャルが均一に消費される従来モデルで分析した場合には、歪み感度が回復する現象を実際よりも高い歪みとして評価してしまう可能性が生ずることになる。
【００３９】
このため、歪みが繰り返し発生する状況においては、歪みに反応する粒子の消費を考慮した歪み感度の分析が必要となる。この歪み感度Ｋ（ε，ｔ）は、応力発光ポテンシャルの最大値（飽和値）を「Ψmax（ε）」とした場合に、式（２）に示すように、歪みεと時刻ｔの２変数の関数となる。
【数２】
2020176943.tif 000004
【００４０】
ここで、式（２）を用いて歪み感度Ｋ（ε，ｔ）の分析を行う。まず、撮像部３０で撮像した計測画像データＤ１から、ｔ＝０から一定時間（Δｔ）ごとの画像フレーム（ｉ＝０，１，２・・・）を取得し、応力発光Ｌ(t)を観測する。式（２）の右辺の第２項は、ε，ｔを変数としているので次のように置き換える。
【数３】
2020176943.tif 000005
【００４１】
式（３）において、ｉ番目（時刻ｉΔｔ）のフレームについて歪み感度Ｋ（ε，ｔ）を分析する場合には、Ｍ（ε，ｔ）はｉ−１番目（時刻ｔ−Δｔ）のフレームに対して算出した値を用いて、次のように変形することができる。Ｍは、過去の微小時間幅までの履歴を時間積算した値であり、時間のみの積算となる。このＭは、すべての歪み領域にあらゆる時刻で定義される。
【数４】
2020176943.tif 000006
【００４２】
ここで、式（４）について各フレームでの分析を行う。なお、積分については、図３に示したフレーム間の時間変化（Δｔ）における台形の面積を加算していくこととする。
【００４３】
ｉ＝０（ｔ＝０）
【数５】
2020176943.tif 000007
ｉ＝１（ｔ＝Δｔ）
【数６】
2020176943.tif 000008
ｉ＝２（ｔ＝２Δｔ）
【数７】
2020176943.tif 000009
ｉ≧３（ｔ≧３Δｔ）
【数８】
2020176943.tif 000010
【００４４】
式（８）の右辺の第１項は直前のフレーム分析において算出済みであるため、ここで第２項について分析する。
【数９】
2020176943.tif 000011
【００４５】
式（９）の右辺の各項を参照すると、全ての項が直前のフレーム（ｔ−Δｔ）以前において算出されている。以上より、式（２）は直前のフレーム（ｔ−Δｔ）以前で既に算出した値及び観測したΨmax（ε）により構成されるので、次のように置き換えることができる。
【数１０】
2020176943.tif 000012
【００４６】
次に、歪みの分析式である式（１）について検討する。式（１）において、ｉ番目（時刻ｉΔｔ）のフレームについて歪みを分析する場合に、ｉ−１番目（時刻ｔ−Δｔ）のフレームに対して算出した値を用いて、次のように変形することができる。
【数１１】
2020176943.tif 000013
【００４７】
式（１１）に式（１０）を代入して変形する。
【数１２】
2020176943.tif 000014
【００４８】
式（１２）において、ε（ｔ）以外の項及び係数については全て直前のフレーム（ｔ−Δｔ）以前で既に算出した値及び観測値である。すなわち、式（１２）はε（ｔ）に関する２次方程式となる。このε（ｔ）に関する２次方程式を解くことにより、時刻ｔにおける歪みε（ｔ）を算出することができる。
【００４９】
なお、上記の各式の歪みεは、各フレームにおいて歪みεの分析が別途必要となる。例えば、式（４）についてＭ（ε，Δｔ）と歪みεとの関係を図示すると図４のようになる。
【００５０】
図４（ａ）に示した「ｉ＝０（ｔ＝０）」の状態では、Ｍ（ε，Δｔ）は「０」となる。同様に、図４（ｂ）に示した「ｉ＝１（ｔ＝Δｔ）」の状態においても、Ｍ（ε，Δｔ）は「０」となる。
【００５１】
これに対して、図４（ｃ）に示した「ｉ＝２（ｔ＝２Δｔ）」の状態では、歪みεが「ａ」となるまでＭ（ε，２Δｔ）が線形に増加するとともに、その後Ｍ（ε，２Δｔ）が線形に減少し、歪みεが「ｂ」となった時点でＭ（ε，２Δｔ）が「０」となる。
【００５２】
また、図４（ｄ）に示した「ｉ＝３（ｔ＝３Δｔ）」の状態では、歪みεが「ａ」となるまでＭ（ε，３Δｔ）が線形に増加するとともに、その後Ｍ（ε，３Δｔ）が線形にやや減少し、歪みεが「ｂ」となった時点でＭ（ε，３Δｔ）が所定値となる。
【００５３】
また、図４（ｅ）に示した「ｉ＝４（ｔ＝４Δｔ）」の状態では、歪みεが「ａ」となるまでＭ（ε，４Δｔ）が急速に増加するとともに、その後Ｍ（ε，４Δｔ）が線形にやや減少し、歪みεが「ｂ」となった時点でＭ（ε，４Δｔ）が所定値となる。その後、引き続きＭ（ε，４Δｔ）が線形に減少する。
【００５４】
また、図４（ｆ）に示した「ｉ＝５（ｔ＝５Δｔ）」の状態では、歪みεが「ａ」となるまでＭ（ε，５Δｔ）が急速に増加するとともに、その後Ｍ（ε，５Δｔ）が線形に少し減少し、歪みεが「ｂ」となった時点でＭ（ε，５Δｔ）が所定値となる。その後、引き続きＭ（ε，５Δｔ）が急速に減少する。
【００５５】
ここで、Δｔは十分小さな時間であり、実用上は、Δｔが動画のフレームレートになることが多い。歪み速度に対してΔｔが大きすぎると、分析上不連続な歪み変動をもたらして歪みポテンシャルの分布がとびとびの値を持ってしまい、不適切な結果を返す場合がある。その場合、歪みポテンシャルはΔｔが十分小さいときと同じになるように、応力発光ポテンシャルを調整する必要が生ずる。なお、歪み速度が負になることが考えられるが、歪みポテンシャルが回復することは無いので、ここでは負になるケースを除外している。
【００５６】
なお、歪み０の領域のＭについては、Ψmax（０）を小さくすることで対応することができる。また、ここでは歪みεについて正の領域しか図示していないが、実際には正負ともに存在し、それぞれの応力発光ポテンシャルが区別される。
【００５７】
＜歪み感度及び歪みの算出処理＞
次に、図１に示した制御部１３による歪み感度及び歪みの算出処理手順について説明する。図５は、図１に示した制御部１３による歪み感度及び歪みの算出処理手順を示すフローチャートである。
【００５８】
図５に示すように、まず、応力発光取得部１５は、応力発光体に加えられる基準応力ＳＳ(ｉ)（ｉ＝１，２，３・・・）に応じた基準応力発光ＬＭＳ(ｉ)を取得し、基準応力発光データＤ２として記憶する（ステップＳ１０１）。
【００５９】
その後、基準応力発光ＬＭＳ（ｉ）の取得を終了したか否かを判定する（ステップ１０２）。基準応力発光ＬＭＳ（ｉ）の取得を終了していないならば（ステップＳ１０２；Ｎｏ）、ステップ１０１に移行して上記の基準応力発光ＬＭＳ（ｉ）の取得を繰り返す。一方、基準応力発光ＬＭＳ（ｉ）の取得を終了したならば（ステップＳ１０２；Ｙｅｓ）、応力発光計測を開始するか否かを判定する（ステップ１０３）。
【００６０】
応力発光計測を開始しない場合には（ステップＳ１０３；Ｎｏ）、ステップＳ１０３の判定処理を繰り返す。一方、応力発光計測を開始するならば（ステップＳ１０３；Ｙｅｓ）、励起光照射部２０により励起光を照射し、計測画像取得制御部１４の制御のもとに、撮像部３０を介して応力発光塗料２の計測画像を撮像し、計測画像データＤ１として記憶する（ステップＳ１０４）。また、応力発光取得部１５の制御のもとに応力発光量を算出し、実測応力発光データＤ３として記憶する（ステップＳ１０５）。
【００６１】
基準応力発光データＤ２、実測応力発光データＤ３、歪み感度データＤ４及び歪みデータＤ５を用いて歪み感度を算出し、歪み感度データＤ４に記憶するとともに（ステップＳ１０６）、歪みを算出して歪みデータＤ５に記憶する（ステップＳ１０７）。
【００６２】
その後、応力発光計測を終了するか否かを判定する（ステップＳ１０８）。応力発光計測を終了しない場合には（ステップＳ１０８；Ｎｏ）、ステップＳ１０４に移行して上記の各種データの取得及び算出処理を繰り返し行う。一方、応力発光計測を終了するならば（ステップＳ１０８；Ｙｅｓ）、本処理を終了する。
【００６３】
上述してきたように、本実施の形態に係る応力発光計測装置１は、計測画像取得制御部１４が撮像部３０により撮像された応力発光塗料２の計測画像を取得し、応力発光取得部１５が計測画像データＤ１から応力発光ＬＭを取得し、歪み感度算出部１６がそれ以前に発生した歪み及びその影響を受けて変化した歪み感度を基に歪み感度を算出し、歪み算出部１７がそれ以前に発生した歪み及びその影響を受けて変化した歪み感度に基づいて歪みを算出するよう構成したため、応力発光体による応力発光量から精度良く歪みを算出し、もって繰り返し歪みが発生する場合における歪み推定精度を高めることができる。
【００６４】
なお、上記実施の形態では、応力発光計測において計測画像データＤ１を取得する都度、実測応力発光データＤ３、歪み感度データＤ４及び歪みデータＤ５を算出するよう構成したが、本発明はこれに限定されるものではなく、必要な計測画像データＤ１を取得した後、まとめて実測応力発光データＤ３、歪み感度データＤ４及び歪みデータＤ５を算出することもできる。
【００６５】
また、歪み感度データＤ４及び歪みデータＤ５を記憶部１２に記憶するのではなく、実測応力発光データＤ３のみを記憶部１２に記憶しておき、この実測応力発光データＤ３を用いて歪み感度データＤ４及び歪みデータＤ５をバッチ処理的にまとめて算出するよう構成することもできる。すなわち、歪み感度算出部１６及び歪み算出部１７は、記憶部１２に記憶された過去の計測画像データＤ３の応力発光量から算出された歪み及びその影響を受けて変化した歪み感度に基づいて、歪み感度及び歪み量をそれぞれ算出することになる。
【００６６】
また、上記実施の形態では、内部に発生する応力発光体による応力発光について考慮対象外としたが、本発明はこれに限定されるものではなく、内部に発生する応力発光体による応力発光を含めたモデルにより分析を行うこともできる。応力発光体を含む応力発光塗料が透明体である場合には、かかるモデルを用いることが有用である。
【００６７】
なお、上記の実施の形態で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【００６８】
本発明の応力発光計測装置及び応力発光計測方法は、応力発光体による応力発光量から精度良く歪みを逆算する場合に有用である。
【符号の説明】
【００６９】
１  応力発光計測装置
２  応力発光塗料
１０  装置本体
１１  入出力部
１２  記憶部
１３  制御部
１４  計測画像取得制御部
１５  応力発光取得部
１６  歪み感度算出部
１７  歪み算出部
２０  励起光照射部
３０  撮像部
１０１  計測対象部材
Ｄ１  計測画像データ
Ｄ２  基準応力発光データ
Ｄ３  実測応力発光データ
Ｄ４  歪み感度データ
Ｄ５  歪みデータ
Ｌ０  励起光
Ｌ１  自然放出光
Ｌ２  応力発光
Ｐ  力
Ｓ  応力
【図１】
2020176943.tif 000015
【図２】
2020176943.tif 000016
【図３】
2020176943.tif 000017
【図４】
2020176943.tif 000018
【図５】
2020176943.tif 000019